(57)【特許請求の範囲】
【請求項１】
流動層ガス化装置により、８００℃以上１０００℃以下の条件で炭化水素系燃料をガス化して得た合成ガスから捕集されたタール中に、ガスクロマトグラフを用いた方法により少なくとも一種類の多環芳香族化合物を検出する第一の分析工程と、
電界脱離イオン化質量分析又はマトリックス支援レーザー脱離イオン化質量分析の少なくともいずれか一方を用いた方法により、タールを構成する化合物の分子量分布を測定する第二の分析工程とを含み、
該第二の分析工程において、検出された各ピーク同士の間隔が分子量２４又は２６となる規則性が見られた場合に、該各ピークがそれぞれ多環芳香族化合物に対応すると推定し、
該第二の分析工程で検出された多環芳香族化合物のうち少なくとも一種類の構造を、前記第一の分析工程で検出した多環芳香族化合物として同定し、
さらに、前記第二の分析工程において見られた規則性は、多環芳香族化合物間の構造の差を反映したものであるとして、前記第一の分析工程によって同定した多環芳香族化合物の構造を基に、前記第二の分析工程において検出された各ピークに対応する多環芳香族化合物の構造を推定することを特徴とするタール成分の分析方法。
【請求項２】
前記第一の分析工程は、ガスクロマトグラフ質量分析又はガスクロマトグラフ水素炎イオン化検出の少なくともいずれか一方を用いた方法により行われる、請求項１に記載のタール成分の分析方法。
【請求項３】
石炭をガス化して得た合成ガスから捕集したタールに対して用いられる、請求項１又は２に記載のタール成分の分析方法。
【発明の詳細な説明】
【技術分野】
【０００１】
本発明は、タールを構成する成分を分析するための方法に関する。
【背景技術】
【０００２】
近年、エネルギー資源として、埋蔵量が豊富で安価な褐炭を利用することが提案されている。低品位炭である褐炭は、無煙炭や瀝青炭といった高品位炭と比較して発熱量が低いうえ、揮発成分が多くハンドリングが難しいため、これまで利用があまり進められてこなかった。しかし近年では、燃料中の成分を水素や一酸化炭素といった合成ガス（ガス化ガス）として取り出すガス化技術の開発が進んでおり、褐炭からでも高効率でエネルギーを取り出すことができるようになってきている。
【０００３】
ガス化反応を行う装置の一種として、流動層ガス化炉が挙げられる。流動層ガス化炉は、燃料や流動媒体（硅砂等）を流動化ガス（水蒸気や空気、酸素等）で流動させる装置である。流動層炉内では、燃料と流動化ガスとが均一な反応場で高効率に接触し、燃料のガス化反応が進行する。国内においては、水蒸気を用いて燃料をガス化させる流動層ガス化炉と、ガス化反応を経た残渣を燃焼させる燃焼炉とを組み合わせた二塔式の流動層ガス化炉が開発されている（例えば、下記特許文献１参照）。燃料としては、石炭のほか、バイオマスやごみ、下水汚泥等を使用することができる場合もある。
【先行技術文献】
【特許文献】
【０００４】
【特許文献１】特開２０１５−１５５５０６号公報
【特許文献２】特表２０１０−５１５０４０号公報
【発明の概要】
【発明が解決しようとする課題】
【０００５】
こうした流動層ガス化炉では、６００〜１０００℃前後の比較的低温でガス化反応を行う。このため、合成ガス中にタールが発生しやすく、ガス化炉の後段の冷却過程において、凝集したタールが配管内に付着して配管を閉塞してしまうことが懸念される。したがって、流動層ガス化炉を安定して連続運転するためには、合成ガス中のタールを改質することが不可欠である。有機化合物の集合体であるタールを効率的に処理するためには、その構成成分を明らかにすることが必要であるが、従来知られている種々の有機化合物の分析方法では（上記特許文献２参照）、タール全体の構成成分の分子量や分子構造を詳細に推定するまでには至っていなかった。
【０００６】
例えば、ゲル浸透クロマトグラフ（ＧＰＣ）による分析は、分子量数千以上の高分子の分子量分布を求めるのに適しているが、分子量数百程度の中程度の分子量をもつ化合物を多く含むタールの分析には向いていない。一方、ガスクロマトグラフ質量分析（ＧＣ／ＭＳ）やガスクロマトグラフ水素炎イオン化検出（ＧＣ−ＦＩＤ）では、分子量３００程度までの低分子量のタール成分は測定できるものの、より分子量の大きな中〜高分子量の化合物を検出することはできない。また、高速液体クロマトグラフ（ＨＰＬＣ）では、標準試料と未知試料とを同一の溶媒に溶解させる必要があり、分析可能な成分が限定される。液体クロマトグラフ質量分析（ＬＣ−ＭＳ）では溶媒の種類によってマススペクトルが変化するため、一般的な定性分析に使えるライブラリが整備されていない。このように、既存のいずれの方法も低分子量から高分子量にわたって様々な成分を含むタール成分の分析には一長一短と言え、よりタール成分の分析に適した分析方法の開発が望まれていた。
【０００７】
本発明は、斯かる実情に鑑み、タールに含まれる有機化合物の分子構造を好適に推定し得るタール成分の分析方法を提供しようとするものである。
【課題を解決するための手段】
【０００８】
本発明は、流動層ガス化装置により、８００℃以上１０００℃以下の条件で炭化水素系燃料をガス化して得た合成ガスから捕集されたタール中に、ガスクロマトグラフを用いた方法により少なくとも一種類の多環芳香族化合物を検出する第一の分析工程と、電界脱離イオン化質量分析又はマトリックス支援レーザー脱離イオン化質量分析の少なくともいずれか一方を用いた方法により、タールを構成する化合物の分子量分布を測定する第二の分析工程とを含み、該第二の分析工程において、検出された各ピーク同士の間隔が分子量２４又は２６となる規則性が見られた場合に、該各ピークがそれぞれ多環芳香族化合物に対応すると推定し、該第二の分析工程で検出された多環芳香族化合物のうち少なくとも一種類の構造を、前記第一の分析工程で検出した多環芳香族化合物として同定し、さらに、前記第二の分析工程において見られた規則性は、多環芳香族化合物間の構造の差を反映したものであるとして、前記第一の分析工程によって同定した多環芳香族化合物の構造を基に、前記第二の分析工程において検出された各ピークに対応する多環芳香族化合物の構造を推定することを特徴とするタール成分の分析方法にかかるものである。
【０００９】
本発明のタール成分の分析方法において、前記第一の分析工程は、ガスクロマトグラフ質量分析又はガスクロマトグラフ水素炎イオン化検出の少なくともいずれか一方を用いた方法により行われることが好ましい。
【００１２】
本発明のタール成分の分析方法は、石炭をガス化して得た合成ガスから捕集したタールに対して用いることができる。
【発明の効果】
【００１４】
本発明のタール成分の分析方法によれば、タールに含まれる有機化合物の分子構造を好適に推定し得るという優れた効果を奏し得る。
【図面の簡単な説明】
【００１５】
【図１】流動層ガス化装置の一例を示す概要図である。
【図２】合成ガス中のタール成分をＧＣ／ＭＳにより測定した結果を示すグラフである。
【図３】合成ガス中のタール成分をＧＣ−ＦＩＤにより測定した結果を示すグラフである。
【図４】ＧＣ／ＭＳ又はＧＣ−ＦＩＤにより同定された化合物の一例を示す表である。
【図５】タールを構成する成分の分子量分布をＦＤ−ＭＳにより測定した結果を示すグラフである。
【図６】図５において規則的に見られたピーク同士の間隔と、該各ピークに対応する化合物の分子構造との関係を説明する概念図である。
【図７】図６に示した関係に基づき、各タール成分の化学構造を推定する概念図である。
【発明を実施するための形態】
【００１６】
以下、本発明の実施の形態を添付図面を参照して説明する。
【００１７】
本実施例では、図１に示す如き実験室規模の流動層ガス化装置１を使用し、石炭（ここでは褐炭）から水蒸気によるガス化を経て得た合成ガスに含まれるタールを分析の対象としている。流動層ガス化装置１は、流動層ガス化炉２で発生させた合成ガスを後段のタール捕集部３で冷却してタールを凝集させ、捕集するようになっている。流動層ガス化炉２は、熱媒体として硅砂を使用し、燃料として褐炭を、流動化ガスとして主に水蒸気をそれぞれ供給して合成ガスを得る仕組みである。尚、図中、４はフィルタ、５は流量計、６はタールを除去した後の合成ガスを分析するためのガス分析計である。
【００１８】
流動層ガス化炉２内の温度は一般的に８００℃以上１０００℃以下が好適であり、より好ましくは８００℃以上９００℃以下であるが、本実験においては８５０℃とした。流動層ガス化炉２内に送り込む水蒸気と、燃料中の炭素のモル比（Ｓ／Ｃ）は１．１とした。
【００１９】
流動層ガス化炉２内で発生した合成ガスは、タール捕集部３の試料採取容器３ａ内に通される。試料採取容器３ａは、例えば、氷水やアセトン／液体窒素等により外側から冷却されるようになっており、試料採取容器３ａ内を通過する合成ガスはここで冷却され、合成ガス中に含まれるタールが凝集して試料採取容器３ａ内に付着する。タール捕集部３を通ってタールを除かれた合成ガスは、さらに後段に流れていく。
【００２０】
タールの付着した試料採取容器３ａをアセトンで洗浄してタールを得、このタールをＧＣ／ＭＳ及びＧＣ−ＦＩＤにより測定した（第一の分析工程）。ＧＣ／ＭＳ測定、ＧＣ−ＦＩＤ測定により、それぞれ図２、図３に示す如き結果が得られた。図２、図３におけるピークとして同定される成分は、環数が３〜６、分子量が１５２〜３００の多環芳香族化合物（ＰＡＨ）であると考えられる。ここで同定されたＰＡＨのうち、一部を図４中に化合物Ｎｏ．１〜Ｎｏ．１２として示す。
【００２１】
尚、上にも述べたように、ＧＣ／ＭＳやＧＣ−ＦＩＤでは、分子量３００を超える成分の同定は困難であり、図２や図３の測定結果中にも、分子量３００を超えるピークは現れていない。
【００２２】
図５は、タール成分の分子量分布を電界脱離イオン化質量分析（ＦＤ−ＭＳ）により測定した結果を示している（第二の分析工程）。横軸のｍ／ｚはイオンの質量を統一原子質量単位及びイオンの電荷数で割った値であり、ほぼ分子の分子量を示す。ＦＤ−ＭＳによれば、タール成分の分子量は１００〜６００程度の範囲に分布しており、特に分子量３００前後の成分の分子数が最も多く検出された。また、分子量３００以下の範囲では、ＧＣ／ＭＳやＧＣ−ＦＩＤを用いた第一の分析工程により同定された成分と同じ分子量（１７８、２０２、２２８、２５２、２７６）を示すピークが見られた（図２〜図４参照）。
【００２３】
さらに図５におけるピークの位置に注目すると、このピークの位置には規則性があり、分子量２４又は２６の間隔で強いピークが検出されている（図中、○又は×で示した箇所は、隣り合うピーク同士の間隔（Δ）が分子量にして２４又は２６であることをそれぞれ示している）。第一の分析工程によって同定された化合物の構造（図４参照）と考え合わせると、図５における強いピークは各々がＰＡＨに対応しており、分子量２４又は２６の間隔は、特定の構造をもつＰＡＨ同士の分子量の差、より詳しくは、「あるＰＡＨ（化合物Ａとする）の分子量と、該化合物Ａに対し一個の芳香族環が付加された構造のＰＡＨ（化合物Ｂとする）の分子量の差」、又は、「あるＰＡＨ（化合物Ｃとする）の分子量と、該化合物Ａにおける一部の芳香族環の結合位置が変化した構造のＰＡＨ（化合物Ｄとする）の分子量の差」を反映していると推定することができる。
【００２４】
すなわち、図６（ａ）に示す如く、四つの芳香族環からなる分子量２２８の化合物Ａに対し、該化合物Ａの外側で三つの芳香族環に囲まれた位置に新たな芳香族環が付加された構造の化合物Ｂの存在を考えると、化合物Ｂの分子量は２５２であり、両者の分子量の差は２４である。また、図６（ｂ）に示す如く、四つの芳香族環からなる分子量２０２の化合物Ｃに対し、該化合物Ｃのうち一個の芳香族環が別の位置に転位した構造の化合物Ｄの存在を考えると、化合物Ｄの分子量は２２８であり、両者の分子量の差は２６である。
【００２５】
第一の分析工程により同定されたＰＡＨの構造（図４参照）にも、同様の法則を見出すことができる。Ｎｏ．１の化合物（分子量２０２）とＮｏ．３の化合物（分子量２２６）、Ｎｏ．６の化合物（分子量２２８）とＮｏ．９の化合物（分子量２５２）、Ｎｏ．１１の化合物（分子量２７６）とＮｏ．１２の化合物（分子量３００）を比較すると、構造にそれぞれ図６（ａ）に示した場合と同様の差異が見られ、分子量の差はいずれも２４である。また、Ｎｏ．２の化合物（分子量２０２）とＮｏ．５又はＮｏ．６の化合物（分子量各２２８）を比較すると、構造にそれぞれ図６（ｂ）に示した場合と同様の差異が見られ、分子量の差はいずれも２６である。
【００２６】
そして、第二の分析工程（ＦＤ−ＭＳ）おいて図５に示す如く検出される、より高分子側の成分についても、分子量２４又は２６の間隔で現れる強いピークに関しては、同様の法則に従って分子構造を推定することができる。
【００２７】
図５中のピークに対応する各成分について推定される分子構造の一例を図７に示す。分子量２７６のピークについては、第一の分析工程より、図７（ａ）に示す分子構造を持つ化合物と同定できる（図２〜図４参照）。その隣の分子量３０２のピークについては、図７（ａ）に示す化合物と分子量の差が２６であることから、図６（ｂ）と同様の法則により、例えば図７（ｂ）に示す如き分子構造を有していると推定できる。さらにその隣の分子量３２６のピークについては、図７（ｂ）に示す化合物と分子量の差が２４であることから、図６（ａ）と同様の法則により、例えば図７（ｃ）に示す如き分子構造を有していると推定できる。以下、互いに分子量にして２４又は２６の間隔を置いて並ぶ強いピークに関しては、低分子側の図７（ｃ）から高分子側の図７（ｊ）へと順番に分子構造を推定していくことができる。
【００２８】
尚、図７（ａ）〜（ｊ）に示した分子構造は、各ピークについて想定される構造の一例であり、この他に、各ピークに対応する化合物として構造異性体が含まれることも有り得る（例えば、図４に示す如く、分子量２２８のピークに対応するＰＡＨとしてはＮｏ．５とＮｏ．６の二種類が想定できる）。
【００２９】
ここで、第二の分析工程においては、分子量６００程度までの分子量分布を精度良く測定する方法としてＦＤ−ＭＳを用いているが、より大きな分子量の分子を検出するために、マトリックス支援レーザー脱離イオン化質量分析（ＭＡＬＤＩ−ＭＳ）を用いて測定しても良い。これらの方法は、分析対象とするタールの種類によって使い分けることができる。また、必要に応じてＦＤ−ＭＳとＭＡＬＤＩ−ＭＳを併用することもできる。
【００３０】
また、本明細書中では、説明の都合上、第一の分析工程の次に第二の分析工程について述べたが、これは分析工程の順序を規定するものではない。実際の分析の手順においては、第一の分析工程と第二の分析工程のうちいずれを先に実行しても良いし、両方を並行して実行することもできる。
【００３１】
また、ここでは、褐炭からガス化によって得た合成ガス中のタールに対して本発明を用いているが、本発明による分析の対象とし得るタールはこれに限定されない。第二の分析工程の結果、図５に示す如く、ピーク同士の間隔が分子量２４又は２６となる規則性が観察される限りにおいて、種々のタールの分析に用いることができる。合成ガス以外の炭化水素系ガス中のタールに対して適用しても良いし、褐炭以外の炭化水素系燃料（バイオマス等）から得た合成ガス中のタールの分析に用いることもできる。
【００３２】
以上のように、上記本実施例においては、ガスクロマトグラフを用いた方法により、タール中から少なくとも一種類の多環芳香族化合物を検出する第一の分析工程と、電界脱離イオン化質量分析又はマトリックス支援レーザー脱離イオン化質量分析の少なくともいずれか一方を用いた方法により、タールを構成する化合物の分子量分布を測定する第二の分析工程とを含み、該第二の分析工程において、検出された各ピーク同士の間隔が分子量２４又は２６となる規則性が見られた場合に、該各ピークがそれぞれ多環芳香族化合物に対応すると推定し、該第二の分析工程で検出された多環芳香族化合物のうち少なくとも一種類の構造を、前記第一の分析工程で検出した多環芳香族化合物として同定し、さらに、前記第二の分析工程において見られた規則性は、多環芳香族化合物間の構造の差を反映したものであるとして、前記第一の分析工程によって同定した多環芳香族化合物の構造を基に、前記第二の分析工程において検出された各ピークに対応する多環芳香族化合物の構造を推定するので、分子量３００を超える多環芳香族化合物であるタール成分の構造を推定することができる。
【００３３】
また、本実施例において、前記第一の分析工程は、ガスクロマトグラフ質量分析又はガスクロマトグラフ水素炎イオン化検出の少なくともいずれか一方を用いた方法により行われるので、タールを構成する成分のうち、分子量３００以下の低分子量の化合物を精度良く検出することができる。
【００３４】
したがって、上記本実施例によれば、タールに含まれる有機化合物の分子構造を好適に推定し得る。
【００３５】
尚、本発明のタール成分の分析方法は、上述の実施例にのみ限定されるものではなく、本発明の要旨を逸脱しない範囲内において種々変更を加え得ることは勿論である。
【図１】
0006647487.tif 000002
【図２】
0006647487.tif 000003
【図３】
0006647487.tif 000004
【図４】
0006647487.tif 000005
【図５】
0006647487.tif 000006
【図６】
0006647487.tif 000007
【図７】
0006647487.tif 000008